(57)【要約】【課題】パネルの保守作業用の足場になり易い足場金具を提供する。【解決手段】足場金具１００は、保守作業がなされるパネル１０の足場となる金具である。パネル１０は、軒方向側から順に、第一パネル１１と第二パネル１２を含む。第一パネル１１と第二パネル１２は、互いに同一である。第一パネル１１の枠体１５のうち、棟方向側の縁部は第一縁部１５Ａであり、軒方向側の縁部は第二縁部１５Ｂである。第一縁部１５Ａと第二縁部１５Ｂには、載置部材２０が架け渡される。足場金具１００は、第一固定部３１と第一接触部３２を備える。第一固定部３１は、載置部材２０に固定される。第一接触部３２は、第一固定部３１の棟方向の端部から第二方向に向けて延びる。第一接触部３２は、第一パネル１１と第二パネル１２の間に進入し、且つ、第一パネル１１の第一縁部１５Ａに対して棟方向側から接触する。【選択図】図３
2017155465.tif 000002
【特許請求の範囲】
【請求項１】
矩形状の板部と、前記板部の外周部を前記板部の厚さ方向から挟んで保持する矩形状の枠体とを含むパネルに取り付けられる第一取付具を備えた足場金具であって、
前記第一取付具は、
前記厚さ方向と直交する方向における前記枠体の第一の縁部である第一縁部と、前記枠体の前記第一縁部とは反対側の縁部である第二縁部とを、前記板部よりも前記厚さ方向の一方側で掛け渡して載置される載置部材に、第一締結部材によって固定される第一固定部と、
前記載置部材と前記枠体のそれぞれに対して、前記板部に沿って前記第二縁部から前記第一縁部に向かう第一所定方向側に配置され、前記第一固定部から前記一方側とは反対の他方側へ突出し、前記枠体に接触する第一接触部と
を備えたことを特徴とする足場金具。
【請求項２】
前記第一取付具は、前記第一接触部から前記第一所定方向とは反対の第二所定方向へ延び、且つ前記枠体に前記他方側から対向する第一延設部を備えたことを特徴とする請求項１に記載の足場金具。
【請求項３】
前記第一取付具は、前記第一固定部から前記一方側へ延出する第一延出部を備えたことを特徴とする請求項１又は２に記載の足場金具。
【請求項４】
前記第一取付具は、前記第一延出部から前記第一所定方向へ突出し、且つ前記第一固定部に前記一方側から対向する第二延出部を備えたことを特徴とする請求項３に記載の足場金具。
【請求項５】
前記第一取付具は、
前記第一延出部を前記第一所定方向と平行な方向に貫通する第一孔部と、
前記第一孔部に対して、前記厚さ方向と前記第一所定方向のそれぞれと交差する方向にずれた位置で、前記第二延出部を前記厚さ方向に貫通する第二孔部と
を備えたことを特徴とする請求項４に記載の足場金具。
【請求項６】
前記第一取付具に固定手段によって固定される固定具を備え、
前記第一取付具は、前記第一所定方向と平行な方向に隣り合う二つの前記パネルのうち、前記第一所定方向とは反対の第二所定方向側に配置される前記パネルである第一パネルに取り付けられ、
前記固定具は、
前記第一固定部に対して前記一方側から接触し、前記第一接触部よりも前記第一所定方向へ延びる延伸部と、
前記延伸部から前記他方側へ延び、前記二つのパネルのうち、前記第一パネルとは異なる第二パネルが含む前記枠体の、前記第二所定方向側の縁部に、近接して対向する対向部と
を備えたことを特徴とする請求項１から５のいずれかに記載の足場金具。
【請求項７】
前記固定手段は、
前記固定具に設けられ、前記載置部材に締結される第二締結部材が挿通される貫通孔と、
前記第一取付具に設けられ、前記貫通孔に対向し、前記第二締結部材が挿通される挿通孔と
を備えたことを特徴とする請求項６に記載の足場金具。
【請求項８】
前記貫通孔は、前記載置部材に締結されるアイボルトが挿通され、
前記挿通孔は、前記アイボルトが挿通されることを特徴とする請求項７に記載の足場金具。
【請求項９】
前記第一取付具は、水平面に対して傾斜した姿勢で配置された前記板部と、前記枠体とを含む前記パネルに取り付けられ、
前記第一所定方向は、前記板部に沿って下側から上側へ向かう方向であることを特徴とする請求項１から８のいずれかに記載の足場金具。
【請求項１０】
前記第二所定方向における前記載置部材の端部に取り付けられる第二取付具を備え、
前記第一取付具は、前記第一所定方向と平行な方向に隣り合う二つの前記パネルのうち、前記第一所定方向側に配置される前記パネルである特定パネルに取り付けられ、
前記第二取付具は、
前記載置部材の前記第二所定方向の端部に第三締結部材によって固定される第二固定部と、
前記特定パネルの前記第二縁部よりも前記第二所定方向側で、前記第二固定部から前記他方側へ延びる第二延設部と、
前記第二延設部から前記第二所定方向側へ延び、前記特定パネルに対して前記第二所定方向側にある前記パネルの、前記枠体の前記第一縁部に、前記他方側から対向する第三延設部と
を備えたことを特徴とする請求項９に記載の足場金具。
【発明の詳細な説明】
【技術分野】
【０００１】
本発明は、パネルの保守作業用の足場となる足場金具に関する。
【背景技術】
【０００２】
従来、パネルの保守作業用の足場となる足場金具が知られている。例えば、特許文献１に開示の発明では、足場金具の一例として、保守用梯子が開示される。保守用梯子は、パネルの一例である太陽電池パネルが設けられた屋根に配置される。保守用梯子は、屋根の棟に跨って掛止される掛け止め部材を備える。太陽電池パネルの保守作業を行う作業者は、掛け止め部材が屋根の棟に掛け止めされた保守用梯子を、太陽電池パネルの保守作業用の足場として使用する。
【先行技術文献】
【特許文献】
【０００３】
【特許文献１】特開２０００−１４５１３０号公報
【発明の概要】
【発明が解決しようとする課題】
【０００４】
しかしながら、作業者は、上記保守用梯子を屋根に配置させるために、掛け止め部材の吊り具に、クレーンのフックを掛けて、保守用梯子を吊り上げる必要がある。従って、作業者は、足場を形成するために手間を要する虞がある。
【０００５】
本発明の目的は、パネルの保守作業用の足場になり易い足場金具を提供することである。
【課題を解決するための手段】
【０００６】
本発明に係る足場金具は、矩形状の板部と、前記板部の外周部を前記板部の厚さ方向から挟んで保持する矩形状の枠体とを含むパネルに取り付けられる第一取付具を備えた足場金具であって、前記第一取付具は、前記厚さ方向と直交する方向における前記枠体の第一の縁部である第一縁部と、前記枠体の前記第一縁部とは反対側の縁部である第二縁部とを、前記板部よりも前記厚さ方向の一方側で掛け渡して載置される載置部材に、第一締結部材によって固定される第一固定部と、前記載置部材と前記枠体のそれぞれに対して、前記板部に沿って前記第二縁部から前記第一縁部に向かう第一所定方向側に配置され、前記第一固定部から前記一方側とは反対の他方側へ突出し、前記枠体に接触する第一接触部とを備えたことを特徴とする。
【０００７】
上記構成によれば、パネルの保守作業を行う作業者は、載置部材を枠体の第一縁部と第二縁部に架け渡して載置し、第一取付具の第一接触部を枠体に接触させる。これにより、作業者は、載置部材を、パネルの保守作業用の足場として使用できる。よって、パネルの保守作業用の足場になり易い足場金具が実現される。
【図面の簡単な説明】
【０００８】
【図１】足場ユニット１の斜視図である。
【図２】足場ユニット１の拡大斜視図である。
【図３】足場ユニット１の右側面図である。
【図４】第一パネル１１に取り付けられる載置部材２０の斜視図である。
【図５】第一取付具３０に取り付けられる固定具４０の右側面図である。
【図６】足場金具１００の変形例である足場金具１０１の斜視図である。
【図７】固定金具ユニット６の斜視図である。
【図８】固定金具ユニット６の分解斜視図である。
【図９】屋根部材２５に取り付けた固定金具ユニット６の斜視図である。
【図１０】第一固定金具６０の右側面図である。
【発明を実施するための形態】
【０００９】
図１〜図６を参照し、本発明の一実施形態である足場ユニット１を説明する。足場ユニット１は、保守作業がなされるパネル１０に足場を形成するユニットである。本例では、パネル１０は太陽光パネルである。パネル１０は、建造物の屋根（図示略）に固定された固定部材５に、連結具（図示略）によって連結される。固定部材５は、一例としてリップ溝形鋼である。建造物の屋根は、一例として水平面（図示略）に対して傾斜し、パネル１０は屋根に対して平行に配置される。パネル１０は、連結具に接触する部位を除き、屋根に対して隙間を空けて対向する。
【００１０】
足場ユニット１の説明では、図１で示す、棟方向、軒方向、左方向、右方向、第一方向、及び第二方向を使用する。棟方向は、屋根に沿って屋根の棟（即ち上側）に向かう方向である。軒方向は、屋根に沿って屋根の軒（即ち下側）に向かう方向である。棟方向と軒方向を総称する場合、棟軒方向と称す。左方向と右方向は、棟軒方向と直交し且つ屋根に対して平行な方向である。左右方向は、水平面（図示略）に対して平行な方向である。第一方向と第二方向は、棟軒方向及び左右方向の夫々と直交する方向である。第一方向と第二方向は、夫々、鉛直方向に対して交差する。
【００１１】
パネル１０は、第一パネル１１、第二パネル１２、及び第三パネル１３を含む。第一パネル１１、第二パネル１２、及び第三パネル１３は、棟軒方向に沿って間隔を空けて並んで配置される。第二パネル１２は、第一パネル１１に対して棟方向側に配置され、第三パネル１３は、第一パネル１１に対して軒方向側に配置される。第一パネル１１と第二パネル１２は、棟軒方向に隣り合い、第一パネル１１と第三パネル１３も、棟軒方向に隣り合う。第一パネル１１、第二パネル１２、及び第三パネル１３は、互いに同一の構成を有する。以下、第一パネル１１の構成を説明し、第二パネル１２と第三パネル１３の構成の説明を省略する。
【００１２】
図３に示すように、第一パネル１１は、板部１４と枠体１５を含む。板部１４は、棟軒方向と左右方向に延びる矩形状であり、水平面に対して傾斜した姿勢で配置される。板部１４は、光エネルギーを電力に変換する変換素子（図示略）を含む。板部１４の厚さ方向は、第一方向と第二方向とに対して平行である。枠体１５は、板部１４の外周部を取り囲む矩形状の枠体であり、且つ、板部１４の厚さ方向から挟んで保持する。本例では、枠体１５の棟方向の縁部が第一縁部１５Ａであり、枠体１５の軒方向の縁部が第二縁部１５Ｂである。
【００１３】
図２、図３を参照し、足場ユニット１の構成を説明する。以下では、第一パネル１１に固定される足場ユニット１を基準に、各部材の位置関係を説明する。足場ユニット１は、載置部材２０と足場金具１００を含む。
【００１４】
載置部材２０は、一例として、棟軒方向に延びる材木である。載置部材２０は、第一パネル１１の棟軒方向における長さと略等しい。載置部材２０は、第一パネル１１の板部１４よりも第一方向側で、第一パネル１１の第一縁部１５Ａと第二縁部１５Ｂを掛け渡す。載置部材２０は、板部１４に対して第一方向側から隙間を空けて対向する。載置部材２０は、一例として、左右方向に間隔を空けて第一パネル１１に二つ設けられる。二つの載置部材２０には、左右方向に延びる架設部材２２が架け渡される。架設部材２２は、一例として載置部材２０と同一の材木である。
【００１５】
図１〜図３を参照し、足場金具１００の構成を説明する。足場金具１００は、軒側金具５０、第一取付具３０、及び固定具４０を備える。軒側金具５０、第一取付具３０、及び固定具４０は、いずれも、板状の金属部材によって形成される。
【００１６】
軒側金具５０は、載置部材２０の軒方向側の端部に固定される金具である。軒側金具５０は、固定部５１、延設部５２，５３を含む。固定部５１は、載置部材２０の軒方向側の端部に、第一方向側から接触する。固定部５１は、載置部材２０と平行な板状である。固定部５１には、棟軒方向に間隔を空けて並ぶ複数の挿通孔５１Ａが設けられる。各挿通孔５１Ａには、締結部材５１Ｂが挿通される。複数の締結部材５１Ｂは、載置部材２０に締結される。これにより、軒側金具５０は載置部材２０の軒方向側の端部に固定される。
【００１７】
延設部５２は、固定部５１の軒方向側の端部から第二方向に延び、第一パネル１１と第三パネル１３の間の隙間に進入する。換言すると、延設部５２は、第一パネル１１の第二縁部１５Ｂよりも軒方向側で、固定部５１から第二方向側へ延びる。延設部５２の第二方向側の端部は、載置部材２０よりも第二方向側にある。延設部５３は、延設部５２の第二方向の端部から、軒方向へ延びる。延設部５３の棟軒方向における長さは、第一パネル１１と第三パネル１３の間の棟軒方向における隙間寸法よりも短い。延設部５３は、第三パネル１３の第一縁部１５Ａに対して第二方向側から対向する。
【００１８】
第一取付具３０は、第一固定部３１、第一延出部３４、第二延出部３５、第一接触部３２、及び第一延設部３３を備える。第一固定部３１は、載置部材２０の棟方向の端部に載置され、且つ、架設部材２２を第二方向側（即ち下側）から支持する。第一固定部３１は、載置部材２０に対して平行な板状である。第一固定部３１には、挿通孔３１Ａ，挿通孔３１Ｂを含む。挿通孔３１Ａ，３１Ｂは、第一固定部３１を第一方向と平行な方向に貫通する。挿通孔３１Ａは、架設部材２２よりも軒方向側で、棟軒方向に沿って複数配置される。各挿通孔３１Ａに挿通された締結部材３１Ｃは、載置部材２０に締結される。これにより、第一固定部３１は、載置部材２０に固定される。挿通孔３１Ｂは、挿通孔３１Ａよりも棟方向側に設けられる。
【００１９】
第一延出部３４は、第一接触部３２の軒方向の端部から第一方向へ延出する。第一延出部３４は、軒棟方向に厚さを有する板状であり、架設部材２２に軒方向側から接触する。第一延出部３４の左部には、円形状の第一孔部３４Ａが設けられる。第一孔部３４Ａは、第一延出部３４を棟軒方向に貫通する。第二延出部３５は、第一延出部３４の第一方向の端部から棟方向へ延出する。第二延出部３５は、第一方向と平行な方向に厚さを有する板状であり、第一固定部３１に対して平行である。第二延出部３５は第一方向側から架設部材２２に接触する。第二延出部３５は、第一方向側から、架設部材２２を間にして第一固定部３１に対して対向する。第二延出部３５の右部には、円形状の第二孔部３５Ａが設けられる。第二孔部３５Ａは、第二延出部３５を第一方向と平行な方向に貫通する。本例では、第二孔部３５Ａの内径は、第一孔部３４Ａの内径と同じである。第二孔部３５Ａは、第一孔部３４Ａに対して、左右方向において互いにずれた位置に配置される。第一孔部３４Ａと第二孔部３５Ａには、夫々、締結部材９８が挿通されて、架設部材２２に締結される。これにより、架設部材２２は第一取付具３０に固定され、第二延出部３５は第一固定部３１との間で架設部材２２を挟んで保持する。
【００２０】
第一接触部３２は、第一固定部３１の棟方向の端部から第二方向へ突出し、第一パネル１１と第二パネル１２との間の隙間に進入する（図３参照）。第一接触部３２は、載置部材２０と、第一パネル１１の枠体１５との夫々に対して、棟方向側から接触する。第一延設部３３は、第一接触部３２の第二方向の端部から軒方向へ延び、第一パネル１１と屋根（図示略）との間に入り込む。第一延設部３３は、第一パネル１１の第一縁部１５Ａに対して第二方向側から対向する。
【００２１】
固定具４０は、第一取付具３０に固定される金具である。固定具４０は、延伸部４１、対向部４２、及び延出部４３を含む。延伸部４１は、第一取付具３０の第一固定部３１に第一方向側から載置する。延伸部４１は、第一固定部３１と平行な板状であり、第一接触部３２よりも棟方向側へ延びる。延伸部４１には、貫通孔４１Ａ（図５参照）が設けられる。貫通孔４１Ａは、延伸部４１を第一方向と平行な方向に貫通し、且つ、第一取付具３０の挿通孔３１Ｂに第一方向から対向する。ボルト９９が貫通孔４１Ａと挿通孔３１Ｂに挿通され、且つ、載置部材２０に締結される。よって、固定具４０は、第一取付具３０に固定される。尚、ボルト９９の頭部と延伸部４１との間には、スプリングワッシャーと平座金が、第一方向から順に介在している。
【００２２】
対向部４２は、延伸部４１の棟方向の端部から第二方向側へ延び、第一パネル１１と第二パネル１２の間の隙間に進入する。対向部４２は、第二パネル１２の第二縁部１５Ｂに対して、軒方向側から隙間を空けて近接して対向する。延出部４３は、対向部４２の第二方向の端部から軒方向へ延出し、第一取付具３０の第一接触部３２に対して棟方向側から接触する。
【００２３】
図２〜図５を参照し、足場ユニット１の設置方法を説明する。作業者は、例えば建造物から離れた地面等で、載置部材２０に軒側金具５０と第一取付具３０を順に固定する。その後、作業者は、建造物の屋根上で載置部材２０を第一パネル１１に載置して、固定具４０を載置部材２０に固定し、さらに、架設部材２２を第一取付具３０に固定する。
【００２４】
図２を参照し、載置部材２０に軒側金具５０と第一取付具３０を順に固定する方法を説明する。作業者は、軒側金具５０の固定部５１を載置部材２０に載置して、載置部材２０の軒方向側の端部に延設部５２を接触させる。これにより、載置部材２０に固定する軒側金具５０の棟軒方向における位置決めがなされる。作業者は、複数の挿通孔５１Ａの夫々に挿通した締結部材５１Ｂを、載置部材２０に締結する。これにより、軒側金具５０は載置部材２０に固定される。
【００２５】
作業者は、第一取付具３０の第一固定部３１を載置部材２０に載置して、載置部材２０の軒方向側の端部に第一接触部３２を接触させる。これにより、載置部材２０に固定する第一取付具３０の棟軒方向における位置決めがなされる。作業者は、複数の挿通孔３１Ａの夫々に挿通した締結部材３１Ｃを、載置部材２０に締結する。これにより、第一取付具３０は、載置部材２０に固定される。作業者は、パネル１０に配置させる載置部材２０の個数分、上記作業を繰り返す。その後、作業者は、軒側金具５０と第一取付具３０が固定された載置部材２０を、架設部材２２及び固定具４０と共に、屋根上に運ぶ。
【００２６】
図３、図４に示すように、作業者は、載置部材２０を、例えば第一パネル１１に配置する。詳細には、作業者は、軒側金具５０の延設部５３を第一パネル１１と第三パネル１３の間に進入させ、且つ、第一取付具３０の第一延設部３３を第一パネル１１と第二パネル１２の間に進入させる。延設部５３と第一延設部３３は、夫々、パネル１０よりも第二方向側へ進入する。その後、作業者は、載置部材２０を第一パネル１１の第一縁部１５Ａと第二縁部１５Ｂとに架け渡すように配置して、載置部材２０を軒方向側へスライドさせる。これにより、第一取付具３０の第一接触部３２が、棟方向側から載置部材２０と第一縁部１５Ａとに接触し、載置部材２０の棟軒方向における位置決めがなされる。第一取付具３０の第一延設部３３と、軒側金具５０の延設部５３は、パネル１０に対して第二方向側から対向する。作業者は、屋根に運んだ載置部材２０の個数分、上記作業を繰り返す。尚、作業者は、軒側金具５０と第一取付具３０が固定された載置部材２０を、第三パネル１３にはじめに取り付けてもよい。
【００２７】
図５に示すように、作業者は、例えば載置部材２０にて、第一取付具３０の第一接触部３２と、第二パネル１２の第二縁部１５Ｂとの間に、固定具４０の対向部４２を進入させて、延伸部４１を第一固定部３１に載置する。作業者が、固定具４０を軒方向側に移動させて、延出部４３を第一接触部３２に接触させる。これにより、固定具４０の棟軒方向における位置決めがなされる。その後、作業者は、延伸部４１の貫通孔４１Ａを、第一固定部３１の挿通孔３１Ｂに対向させて、固定具４０の左右方向の位置決めをする。作業者は、貫通孔４１Ａと挿通孔３１Ｂに挿通したボルト９９を、載置部材２０に締結する。これにより、固定具４０は、載置部材２０に固定される。作業者は、屋根上に運んだ載置部材２０の個数分、上記作業を繰り返す。この結果、複数の載置部材２０がパネル１０に取り付けられる。
【００２８】
図２、図４に示すように、作業者は、第一取付具３０の第一延出部３４よりも棟方向側で、架設部材２２を、左右方向に隣り合う二つの載置部材２０の夫々の棟方向における端部に、架け渡す。作業者は、掛け渡した架設部材２２を第一延出部３４に接触させる。これにより、架設部材２２の棟軒方向における位置決めがなされる。作業者は、第一孔部３４Ａと第二孔部３５Ａの夫々に挿通した締結部材９８を、架設部材２２に締結する。これにより、架設部材２２は、第一取付具３０に固定される。足場ユニット１は、パネル１０の足場となる。
【００２９】
作業者は、パネル１０を足場として、パネル１０の保守作業を行うことができる。パネル１０の保守作業として、板部１４の清掃、パネル１０の裏側（即ち第二方向側）の点検、又は固定部材５の点検等がある。板部１４の清掃を行う作業者は、載置部材２０と架設部材２２に沿って移動しながら、板部１４の第一方向側の端面を清掃する。載置部材２０と架設部材２２は、板部１４から第一方向に離隔しているので、作業者は、板部１４を直接踏みつけることなく清掃できる。尚、作業者が載置部材２０の棟軒方向における中央部に立ったとき、載置部材２０の第二方向に向けた撓み量が最大となる。このとき、載置部材２０は、板部１４に接触してもよい。この場合であっても、作業者の自重に起因して板部１４に作用する応力が低減するので、板部１４は傷つきにくい。
【００３０】
作業者は、パネル１０の裏側及び固定部材５の点検を行う場合、例えば第二パネル１２を連結具（図示略）から取り外し可能な状態にした後、第一パネル１１の載置部材２０の軒方向における端部まで移動する。作業者は、第二パネル１２の例えば棟方向側の端部を第一方向側へ持ち上げる。これにより、作業者は、第二パネル１２の裏側、連結具、及び固定部材５との夫々に、錆、腐食、又は破損等の異常が発生していないか点検できる。
【００３１】
以上説明したように、パネル１０の保守作業を行う作業者は、載置部材２０を枠体１５の第一縁部１５Ａと第二縁部１５Ｂに架け渡して載置し、第一取付具３０の第一接触部３２を第一縁部１５Ａに接触させる。これにより、作業者は、載置部材２０を、パネル１０の保守作業の足場として使用できる。よって、パネル１０の保守作業用の足場を容易に形成できる足場金具１００が実現される。作業者は、足場ユニット１を組み立てるための大がかりな踏板等の足場を、建造物の屋根に近接する高所に作製することを要しない。よって、足場ユニット１は、簡易な方法によって、パネル１０の保守作業用の足場となることができる。
【００３２】
第一取付具３０は、第一延設部３３を備える。第一延設部３３は、第一パネル１１の第一縁部１５Ａに対して、第二方向側から対向する。これにより、載置部材２０の棟方向側の端部が第一方向側へ浮き上がった場合であっても、第一延設部３３が第一縁部１５Ａに接触するので、載置部材２０は、第一パネル１１から外れることがない。よって、足場金具１００は、安全性を向上できる。
【００３３】
第一取付具３０は、第一延出部３４と第二延出部３５を備える。第一延出部３４は、二つの載置部材２０を架け渡す架設部材２２を、軒方向側から支持し、第二延出部３５は、第一固定部３１との間で架設部材２２を挟んで保持する。これにより、保守作業を行う作業者は、架設部材２２に沿って移動できる。作業者は、載置部材２０に沿って移動でき、且つ、架設部材２２に沿って移動できる。よって、足場金具１００は、足場となる場合における使い勝手を向上できる。
【００３４】
第一孔部３４Ａと第二孔部３５Ａは、左右方向において互いにずれる。これにより、第一孔部３４Ａ挿通されて載置部材２０に締結される締結部材９８と、第二孔部３５Ａに挿通されて載置部材２０に締結される締結部材９８は、互いに接触することはない。よって、足場金具１００は、足場となる場合における使い勝手を向上できる。
【００３５】
固定具４０は対向部４２を含む。対向部４２は、第二パネル１２の第二縁部１５Ｂに対して近接して対向する。作業者が例えば載置部材２０に沿って移動する場合、載置部材２０の撓みに伴って、第一取付具３０は、棟方向に向けて変位する。この場合、対向部４２が延設部５２の第二縁部１５Ｂに接触するので、第一取付具３０に作用する力は低減する。従って、足場金具１００は、耐荷重性を向上できる。
【００３６】
作業者は、ボルト９９を第一方向から、貫通孔４１Ａと挿通孔３１Ｂに順に挿通して、載置部材２０に締結する。よって、固定具４０を第一取付具３０に固定する固定手段の構成を簡易化できる。
【００３７】
第一縁部１５Ａは、枠体１５の軒方向の縁部であり、第二縁部１５Ｂは、枠体１５の軒方向の縁部である。載置部材２０は、第一縁部１５Ａと第二縁部１５Ｂに架け渡される。例えば、屋根の軒方向側の端部に、第三パネル１３が配置されている場合において、作業者は、第三パネル１３、第一パネル１１、及び第二パネル１２の順に、足場ユニット１を固定していけば、鉛直方向側から順にパネル１０の足場が作製される。よって、作業者は、安全にパネル１０の足場を作製できる。
【００３８】
足場金具１００は、軒側金具５０を備える。第一パネル１１に固定した軒側金具５０の延設部５３は、第二パネル１２の第一縁部１５Ａに対して第二方向側から対向する。これにより、第一パネル１１に設置した載置部材２０の軒方向側の端部が浮き上がった場合であっても、延設部５３が第二パネル１２の第一縁部１５Ａに接触する。よって、足場金具１００は安全性を更に向上できる。
【００３９】
上記実施形態において、締結部材３１Ｃは、本発明の「第一締結部材」の一例である。ボルト９９は、本発明の「第二締結部材」の一例である。締結部材５１Ｂは、本発明の「第三締結部材」の一例である。軒側金具５０は、本発明の「第二取付具」の一例である。第一パネル１１は、本発明の「特定パネル」の一例である。第三パネル１３は、本発明の「特定パネルに対して前記第二所定方向側にある前記パネル」の一例である。固定部５１は、本発明の「第二固定部」の一例である。延設部５２は、本発明の「第二延設部」の一例である。第一方向側は、本発明の「一方側」の一例である。第二方向側は、本発明の「他方側」の一例である。第一所定方向は、本発明の「棟方向」の一例である。第二所定方向は、本発明の「軒方向」の一例である。
【００４０】
尚、上記した実施形態は、種々の変更が可能である。第一パネル１１に設けられた固定具４０の対向部４２は、第二パネル１２の第二縁部１５Ｂに接触してもよい。即ち、「対向部４２が第二縁部１５Ｂに近接して対向する」には、載置部材２０に作業者が乗っていない状態において、対向部４２が隙間を空けて第二縁部１５Ｂに対向する場合と、対向部４２が第二縁部１５Ｂに接触して対向する場合とが含まれる。対向部４２が第二縁部１５Ｂに接触する場合であっても、作業者が乗った載置部材２０の撓みに伴って第一取付具３０に作用する力は、低減する。
【００４１】
載置部材２０は、第一パネル１１の棟軒方向における長さよりも、長くてもよい。例えば載置部材２０は、第一パネル１１の第一縁部１５Ａ、第一パネル１１の第二縁部１５Ｂ、及び第二パネル１２の第一縁部１５Ａを架け渡してもよい。また、第一縁部１５Ａは、枠体１５の右縁部であってもよい。この場合、第二縁部１５Ｂは、枠体１５の左縁部となる。第一縁部１５Ａと第二縁部１５Ｂに架け渡される載置部材２０は、左右方向に延びる。また、パネル１０の板部１４は、水平面に対して傾斜していなくてもよい。例えば、パネル１０は、水平面と略平行な屋根に取り付けられてもよい。
【００４２】
挿通孔３１Ｂは、第一固定部３１に設けられる代わりに、第一接触部３２に設けられてもよい。この場合、貫通孔４１Ａは、固定具４０の対向部４２に設けられ、挿通孔３１Ｂに対して棟軒方向に沿って対向する。これにより、固定具４０は、貫通孔４１Ａと挿通孔３１Ｂに挿通されたボルト９９によって、第一取付具３０に締結される。
【００４３】
第一取付具３０と固定具４０は、ボルト９９で固定されなくてもよい。図６では、足場金具１００の変形例である足場金具１０１を図示する。図６では、足場金具１００と同一の部材について、足場金具１００と同一の符号を付与している。足場金具１０１は、軒側金具５０（図２参照）を備えない。また、足場金具１０１は、ボルト９９に代えて、アイボルト１０５を備える。アイボルト１０５は、延伸部４１の貫通孔４１Ａと、第一固定部３１の挿通孔３１Ｂとに挿通されて、載置部材２０に締結される。作業者は、第一パネル１１に設置した足場金具１０１のアイボルト１０５の頭部である円環部１０５Ａに、ナスカン１０７を取り付ける。第一パネル１１に設置した二つの足場金具１０１の夫々のナスカン１０７には、縄１０８が架け渡される。作業者は、例えば、縄１０８を手で持ったまま、架設部材２２を伝いながら移動できる。従って、足場金具１０１は安全性を向上できる。
【００４４】
第一パネル１１は、固定部材５とは異なる部材で屋根に固定されてもよい。以下、図７〜図１０を参照し、固定部材５の変形例である固定金具ユニット６を説明する。以下の固定金具ユニット６の説明では、図７で示す、棟方向、軒方向、左方向、右方向、第一方向、及び第二方向を使用する。
【００４５】
図１０を参照し、建造物の屋根を、固定金具ユニット６に先立って説明する。屋根は、野地板１６と屋根部材２５を含む。野地板１６は、棟軒方向と左右方向に沿って延びる。屋根部材２５は、野地板１６に対して角度θ傾けた姿勢で、棟軒方向及び左右方向に亘って、野地板１６に敷かれている。角度θは、例えば、長期使用住宅部材標準化推進協議会の長期使用対応部材基準書（登録コード１５０６０３０４８）に基づいて規定される。本例の角度θは、２°である。
【００４６】
屋根部材２５は、軒側屋根材２１、第一屋根材２３、第二屋根材２４、及び棟側屋根材２６を含む。軒側屋根材２１、第一屋根材２３、第二屋根材２４、及び棟側屋根材２６は、互いに同一の形状であり、野地板１６に対して角度θ傾けた姿勢で、軒方向側から棟方向側へ順に並んで配置される。棟側屋根材２６の棟方向側の部位は、第一屋根材２３の軒方向側の部位と、第一方向と平行な方向において重なる。同様に、第一屋根材２３の棟方向側の部位は、第二屋根材２４の軒方向側の部位と、重なる。第二屋根材２４の棟方向側の部位は、棟側屋根材２６の軒方向側の部位と、重なる。
【００４７】
図７〜図９を参照し、固定金具ユニット６の構成を説明する。固定金具ユニット６は、第一パネル１１を屋根部材２５に取り付ける金具である。本例では、一つの第一パネル１１に対して四つの固定金具ユニット６が使用される。以下、第一屋根材２３と第二屋根材２４に取り付けられた固定金具ユニット６を基準に各種部材の位置関係を説明する。固定金具ユニット６は、第一固定金具６０、高さ調整ワッシャー８２、第二固定金具９０、保持金具１３０、及び角根丸ボルト１２０を備える。
【００４８】
第一固定金具６０は、第一屋根材２３と第二屋根材２４とに固定される金具であり、一枚の金属製の板状部材によって形成される。第一固定金具６０の長手方向は、棟軒方向と平行である。第一固定金具６０の材質は、一例としてＺＡＭ鋼板であり、第一固定金具６０の板厚は、一例として４．５ｍｍである。第一固定金具６０は、例えば手曲げ加工によって形成される。
【００４９】
第一固定金具６０は、第一載置部６１、第一延設部６３、第二延設部６４、及び天板部６５を備える。第一載置部６１は、ブチルテープ３９を介して、第一屋根材２３の軒方向側の部位に載置される。即ち、第一載置部６１は、第一屋根材２３の軒方向側の部位と、軒側屋根材２１の棟方向側の部位とに、第一方向において重なる。第一載置部６１は、第一屋根材２３に対して平行な板状である。第一載置部６１には、左右方向に並ぶ二つの丸孔６１Ａ（図１０参照）が設けられる。各丸孔６１Ａには、締結部材６１Ｂが挿通される。締結部材６１Ｂは、第一屋根材２３に締結される。これにより、第一載置部６１は、第一屋根材２３に固定される。第一延設部６３は、第一載置部６１の軒方向の端部から、第一載置部６１に対して直交して第一方向側へ延びる。
【００５０】
第二載置部６２は、第一載置部６１に対して平行の延びる板状であり、第二屋根材２４の軒方向側の部位に載置される。即ち、第二載置部６２は、第二屋根材２４の棟方向側の部位と、第一屋根材２３の棟方向側の部位とに、第一方向において重なる。第二載置部６２は、第一載置部６１と直交する方向において、第一載置部６１とは異なる位置にある。即ち、第二載置部６２の第一方向側の端面は、第一延設部６３が延びる方向において、第一載置部６１の第一方向側の端面に対してずれた位置にある。第二載置部６２には、左右方向に並ぶ二つの丸孔６２Ａ（図１０参照）が設けられる。各丸孔６２Ａには、締結部材６２Ｂが挿通される。締結部材６２Ｂは、第二屋根材２４に締結される。これにより、第二載置部６２は、第二屋根材２４に固定される。第二延設部６４は、第二載置部６２の棟方向の端部から、第二載置部６２に対して直交して第一方向側へ延び、棟側屋根材２６の軒方向の端部に対して軒方向側から接触する。第二延設部６４は、第一延設部６３に対して平行である。
【００５１】
図１０に示すように、天板部６５は、第一延設部６３の第一方向側の端部と、第二延設部６４の第二方向側の端部とを接続する略矩形状である。天板部６５は、第一載置部６１と第二載置部６２の夫々に対して、第一方向側から隙間を空けて対向する。天板部６５と第一延設部６３とのなす角度のうちで小さい方の角度は、第一角度αである。天板部６５と第二延設部６４とのなす角度のうちで小さい方の角度は、第二角度βである。第一角度αは、９０°よりも所定の角度大きく、第二角度βは、９０°よりも所定の角度小さい。本例では、第一角度αは９２°であり、第二角度βは８８°である。即ち、本例の所定の角度は、２°であり、角度θと等しい。従って、天板部６５は、野地板１６に対して略平行である。本例では、天板部６５の長手方向は、棟軒方向である。天板部６５の長手方向の長さ（寸法Ｍに相当）は、第一屋根材２３のうち第一方向に露出する部位の棟軒方向における長さ（寸法Ｎに相当）よりも、長い。
【００５２】
図８に示すように、天板部６５の棟軒方向長手方向の中央部には、第一開口縁部６７が設けられる。第一開口縁部６７は、長孔６７Ａを形成する。長孔６７Ａの長手方向は、棟軒方向であり、長孔６７Ａの短手方向は、左右方向である。長孔６７Ａの棟軒方向における長さ（図１０で示す寸法Ｌ）は、第一屋根材２３のうち第一方向に露出する部位の棟軒方向における長さ（図１０で示す寸法Ｎ）よりも、長い。第一開口縁部６７は、棟軒方向において（即ち長孔６７Ａの長手方向において）、非対称な形状である。詳細には、第一開口縁部６７の棟方向側の端部６７Ｂは、棟方向に向けて湾曲する一方、第一開口縁部６７の棟方向側の端部６７Ｃは、左右方向に沿う平面状に形成される。
【００５３】
天板部６５の軒方向の端部には、左右方向に並ぶ二つの第二開口縁部６９が設けられる。天板部６５の軒方向側の第二開口縁部６９は、第一開口縁部６７と棟軒方向に並ぶ。第二開口縁部６９は、夫々、丸孔６９Ａを形成する。天板部６５の軒方向側にある二つの丸孔６９Ａは、夫々、第一載置部６１の丸孔６１Ａ（図１０参照）に対して、第一方向と平行な方向に対向する。丸孔６９Ａの内径は、丸孔６１Ａの内径よりも大きい。
【００５４】
天板部６５の棟方向の端部には、左右方向に並ぶ二つの第二開口縁部６９が設けられる。天板部６５の棟方向側の第二開口縁部６９は、第一開口縁部６７と棟軒方向に並ぶ。第二開口縁部６９は、夫々、丸孔６９Ａを形成する。天板部６５の棟方向側にある二つの丸孔６９Ａは、夫々、第二載置部６２の丸孔６２Ａ（図１０参照）に対して、第一方向と平行な方向に対向する。丸孔６９Ａの内径は、丸孔６２Ａの内径よりも大きい。
【００５５】
高さ調整ワッシャー８２は、左右方向と棟軒方向に延びる略正方形状の板状であり、第一方向側から天板部６５に載置される。高さ調整ワッシャー８２の最大寸法は、長孔６７Ａの短径よりも長く、且つ、長孔６７Ａの長径よりも短い。本例では、高さ調整ワッシャー８２は、天板部６５に一枚載置される。高さ調整ワッシャー８２は、複数枚積み重ねて配置されてもよい。高さ調整ワッシャー８２の中央部に形成された孔８４は、第一方向側から長孔６７Ａに対向する。
【００５６】
第二固定金具９０は、一枚の板状の金属部材から曲げ加工によって形成される金具である。第二固定金具９０は、第一壁部９２、及び一対の対向壁部９４を備える。第一壁部９２は、第一方向側から高さ調整ワッシャー８２に載置される。第一壁部９２は、左右方向に延びる矩形状である。第一壁部９２の左右方向長さは、天板部６５の左右方向長さよりも長い。第一壁部９２の中央部には、開口壁部９３が設けられる。開口壁部９３は、孔８４に対して第一方向側から対向する孔９３Ａを形成する。孔９３Ａの内径は、長孔６７Ａの短径よりも大きく、長孔６７Ａの長径よりも短い。一対の対向壁部９４は、夫々、第一壁部９２の左右方向の両端部から第二方向へ延びる壁部である。一対の対向壁部９４は、高さ調整ワッシャー８２と天板部６５を間にして左右方向に対向する。
【００５７】
保持金具１３０は、一枚の板状の金属部材から曲げ加工によって形成される金具である。保持金具１３０は、底壁１３３、立設壁部１３５、及び突出壁部１３８を備える。底壁１３３は、第二固定金具９０の第一壁部９２と平行な板状であり、左右方向に延びる。底壁１３３の左右方向の中央部には、円形状の孔１３４が形成される。孔１３４の内径は、長孔６７Ａの短径よりも僅かに大きい。立設壁部１３５は、底壁１３３の軒方向の端部から第一方向に立設する。突出壁部１３８は、立設壁部１３５の第一方向の端部から棟方向に向けて突出する。突出壁部１３８は、野地板１６に対して平行な略矩形状である。突出壁部１３８は、第一方向側から第一パネル１１の周端部である枠体１５を挟む。
【００５８】
角根丸ボルト１２０は、軸部１２１、及び頭部１２３を含む。軸部１２１は、第一方向と平行に延びる。軸部１２１は、第一固定金具６０の長孔６７Ａ、高さ調整ワッシャー８２の孔８４、第二固定金具９０の孔９３Ａ、保持金具１３０の孔１３４に挿通される。軸部１２１は、底壁１３３よりも第一方向に向けて突出する。軸部１２１は、第一方向からナット１２９が挿通され、底壁１３３と接触する位置にて、角根丸ボルト１２０に締結される。本例のナット１２９は、フランジナットである。軸部１２１の第二方向側の端部は、角根部１２１Ａである。角根部１２１Ａは、第一開口縁部６７の内側に配置される。頭部１２３は、角根部１２１Ａに対して第二方向側から連結する。頭部１２３は、第一固定金具６０の第一開口縁部６７に対して第二方向から接触する。
【００５９】
以下、高さ調整ワッシャー８２、第二固定金具９０、保持金具１３０、角根丸ボルト１２０、及びナット１２９を総称する場合、「可動部１６０」と称す。角根丸ボルト１２０に締結されていたナット１２９が、緩められた場合、可動部１６０は、長孔６７Ａに沿ってスライド可能である。可動部１６０の可動範囲は、長孔６７Ａと平行に延びる。可動部１６０の可動範囲の棟軒方向における長さは、長孔６７Ａの棟軒方向における長さと略一致する。
【００６０】
図９を参照し、補助金具１５０を説明する。補助金具１５０は、屋根部材２５に設置される固定金具ユニット６の位置を、屋根部材２５にマークするための金具である。尚、図９において、補助金具１５０は、実線で示す固定金具ユニット６の位置にて、固定金具ユニット６が配置される前に使用される。本説明では、図面を見易くするために、便宜上、実線で示す固定金具ユニット６よりも右方にある補助金具１５０を、二点鎖線によって図示する。
【００６１】
補助金具１５０は、左側面視でＺ字状の板状部材である。補助金具１５０は、第一板部１５１、第二板状部１５２、及び第三板部１５３を含む。第一板部１５１は第一屋根材２３の軒方向側の部位に載置される。第一板部１５１には、左右方向に間を空けて並ぶ二つの孔１５１Ａが設けられる。二つの孔１５１Ａのピッチ（即ち中心間距離）は、第一載置部６１の二つの丸孔６１Ａのピッチと同じである。第二板状部１５２は、第一板部１５１の棟方向側の端部から第一方向側へ延出し、棟方向側から第二屋根材２４に対して接触する。第二板状部１５２が延出する方向は、屋根部材２５の厚さ方向と平行である。第三板部１５３は、第二板状部１５２の第一方向側の端部から、第二屋根材２４に沿って棟方向側へ延びる。第三板部１５３の棟方向側の端部は、棟側屋根材２６に接触する。第三板部１５３には、左右方向に間を空けて並ぶ二つの孔１５３Ａが設けられる。二つの孔１５１Ａのピッチは、第二載置部６２の二つの丸孔６２Ａのピッチと同じである。
【００６２】
第一板部１５１が第一屋根材２３に載置され、第二板状部１５２が第二屋根材２４に接触し、第三板部１５３が第二屋根材２４に載置されることで、保持金具１３０は、第一方向と棟軒方向における位置決めがなされた状態で、屋根部材２５に配置される。この場合、第一板部１５１の孔１５１Ａの棟軒方向位置は、第一載置部６１の丸孔６１Ａの棟軒方向位置と一致する。第三板部１５３の孔１５３Ａの棟軒方向位置は、第二載置部６２の丸孔６２Ａの棟軒方向位置と一致する。
【００６３】
図８〜図１０を参照し、固定金具ユニット６を第一パネル１１と共に屋根部材２５に固定する方法を説明する。図１０では、ブチルテープ３９の図示を省略する。第一パネル１１は、屋根部材２５に載置されている。はじめに、可動部１６０が第一固定金具６０に対して仮組みされる。図８に示すように、作業者は、第一固定金具６０の天板部６５に、高さ調整ワッシャー８２、第二固定金具９０、及び保持金具１３０を順に載置する。作業者は、角根丸ボルト１２０の軸部１２１を、長孔６７Ａ，孔８４，９３Ａ、１３４に順に挿通し、第一方向からナット１２９を、角根丸ボルト１２０に締結しない程度に挿通する。これにより、固定金具ユニット６の仮組みがなされる。
【００６４】
作業者は、固定金具ユニット６が屋根部材２５に固定される位置を、屋根部材２５にマークする。詳細には、図９に示すように、作業者は、補助金具１５０を屋根部材２５に配置する。第一板部１５１が第一屋根材２３の軒方向側の部位に載置され、第二板状部１５２が第二屋根材２４に接触し、第三板部１５３が第二屋根材２４に載置される。作業者は、孔１５１Ａの内側にある第一屋根材２３の外表面と、孔１５３Ａの内側にある第二屋根材２４の外表面とに、ペン７を用いてマークを形成する。作業者は、補助金具１５０を取り外す。
【００６５】
作業者は、マークが形成された第一屋根材２３の二つの部位と、二つの部位に夫々対応する棟側屋根材２６の二つの部位を、例えばコンクリートドリルで貫通し、さらに野地板１６に対して穴部を形成させる。作業者は、穴あけ作業に伴って発生した切粉を、集塵機を使って除去する。その後、作業者は、コーキングを２回に亘って行う。作業者は、一回目のコーキングで、野地板１６の穴部、及び、野地板１６と棟側屋根材２６の間に、コーキング剤を注入する。作業者は、二回目のコーキングで、棟側屋根材２６と第一屋根材２３の間に、コーキング剤を注入する。
【００６６】
作業者は、上記と同様の作業を、第二屋根材２４、第一屋根材２３、及び野地板１６に対して行う。即ち、作業者は、マークが形成された第二屋根材２４の二つの部位、二つの部位に対応する第一屋根材２３の部位に貫通孔を空けて、さらに野地板１６に穴部を形成させる。その後作業者は、二回に亘ってコーキングを行う。
【００６７】
作業者は、可動部１６０が仮組みされた固定金具ユニット６を、屋根部材２５に取り付ける。作業者は、ブチルテープ３９から剥離紙を剥がした後、第一屋根材２３の二つの穴部に夫々、二つの丸孔６１Ａを対向させ、且つ、第二屋根材２４の二つの穴部に夫々、二つの丸孔６２Ａを対向させる。作業者は、第一載置部６１をブチルテープ３９で第一屋根材２３に貼り付け、第二載置部６２をブチルテープ３９で第二屋根材２４に貼り付ける。このとき、第二延設部６４は、棟方向側から棟側屋根材２６に対して接触する。
【００６８】
作業者は、締結部材６１Ｂを、丸孔６９Ａ，６１Ａに対して順に挿通して、第一屋根材２３の穴部に締結する。第一載置部６１は、二つの締結部材６１Ｂによって第一屋根材２３に固定される。同様に、作業者は、締結部材６２Ｂを、丸孔６９Ａ，６２Ａに対して順に挿通して、第二屋根材２４の穴部に締結する。第二載置部６２は、二つの締結部材６２Ｂによって第二屋根材２４に固定される。
【００６９】
作業者は、高さ調整ワッシャー８２が第二方向側から第一パネル１１の枠体１５を支持できる位置まで、可動部１６０を長孔６７Ａに沿ってスライドさせる。天板部６５が野地板１６に対して平行であるので、可動部１６０は、略棟軒方向に移動できる。即ち、可動部１６０がスライドしても、可動部１６０の第一方向における位置は、変化しにくい。よって、可動部１６０は、安定してスライドできる。作業者は、可動部１６０をスライドさせて、突出壁部１３８を第一パネル１１に対して第一方向側に配置させる。その後、作業者は、ナット１２９を角根丸ボルト１２０に締結する。ナット１２９の締結に伴って、可動部１６０には、角根丸ボルト１２０の軸線方向を中心とした回転力が作用する。この場合であっても、第二固定金具９０の一対の対向壁部９４が、天板部６５に対して接触することで、可動部１６０の回転は規制される。よって、作業者は、ナット１２９を締結し易い。ナット１２９が締結されることで、第一パネル１１の周端部である枠体１５は、突出壁部１３８と高さ調整ワッシャー８２との間で挟み込まれて固定される。作業者は、同様の手順で、残る三つの固定金具ユニット６を第一パネル１１と共に屋根部材２５に固定する。
【００７０】
尚、第一パネル１１の棟軒方向における配置位置に応じて、作業者は、第一固定金具６０を、第一屋根材２３と第二屋根材２４に代えて、第二屋根材２４と棟側屋根材２６に取り付ける必要がある。図１０では、第二屋根材２４と棟側屋根材２６に取り付けられる第一固定金具６０を、二点鎖線によって図示する。長孔６７Ａの棟軒方向における長さ（寸法Ｌ）は、第一屋根材２３のうち第一方向に露出する部位の棟軒方向における長さ（寸法Ｎ）よりも長い。従って、第一固定金具６０が第一屋根材２３と第二屋根材２４に取り付けられた場合における可動部１６０の可動範囲と、第一固定金具６０が第二屋根材２４と棟側屋根材２６に取り付けられた場合における可動部１６０の可動範囲は、棟軒方向において重なる。作業者は、棟軒方向における第一パネル１１の屋根部材２５に対する取り付け位置を制限されることなく、第一パネル１１を屋根部材２５に配置できる。
【００７１】
また、固定金具ユニット６では、棟方向側から棟側屋根材２６を伝う雨水等の液体は、第二延設部６４によって、締結部材６２Ｂの頭部を伝うことを規制される。従って、締結部材６２Ｂの頭部には、錆、腐食等が生じにくいので、作業者は、締結部材６２Ｂの頭部に対してコーキングを行う必要がない。よって、作業者は、簡易且つ短時間で、第一パネル１１を屋根部材２５に取り付けることができる。
【００７２】
以上説明したように、第一角度αが９０°よりも所定の角度大きく、第二角度βが９０°よりも所定の角度小さい。これにより、天板部６５は、野地板１６に対して平行になり易い。よって、固定金具ユニット６は、第一パネル１１を野地板１６に対して平行に支持し易い。また、第一載置部６１が第一屋根材２３に固定され、第二載置部６２が第二屋根材２４に固定される。従って、第一固定金具６０と屋根部材２５との間には、高さ調整用の部材（例えばスペーサ等）が不要となる。よって、固定金具ユニット６は、構成を簡易化できる。以上より、簡易な構成で、第一パネル１１を野地板１６に対して平行に支持し易い固定金具ユニット６が実現される。
【００７３】
第一固定金具６０は、一枚の板状部材から形成されている曲げ加工品であり、第一固定金具６０の板厚は、軸部１２１の軸線方向における角根部１２１Ａの長さよりも、厚い。これにより、固定金具ユニット６の強度が向上する。よって、固定金具ユニット６は、第一パネル１１の耐荷重性を向上できる。
【００７４】
第一開口縁部６７は、棟軒方向において非対称となる形状である。これにより、作業者が第一固定金具６０を屋根部材２５に載置する場合において、第一固定金具６０の長手方向のうち何れの方向が軒方向又は棟方向に該当するかを、容易に認識できる。よって、第一固定金具６０の棟軒方向において反転された姿勢で屋根部材２５に誤って取り付けられることを、固定金具ユニット６は防止できる。また、所定の角度は２°であり、角度θと同じである。この場合、固定金具ユニット６は、第一パネル１１を野地板１６に対して平行に更に支持し易くなる。
【００７５】
固定金具ユニット６は、第二固定金具９０を備える。第二固定金具９０は、作業者がナット１２９を軸部１２１に挿通して、ナット１２９を締結する場合において、第二固定金具９０は、可動部１６０を回転しにくくできる。よって、作業者は、固定金具ユニット６を屋根部材２５に対して取り付け易い。
【００７６】
固定金具ユニット６は、種々の変形が可能である。第一固定金具６０は、手曲げ加工によって形成される代わりに、順送等を含むプレス加工によって形成されていてもよい。この場合であっても、第一固定金具６０は、曲げ加工品に該当する。
【００７７】
所定の角度は、角度θと同じでなくてもよく、角度θと略同じであればよい。即ち、可動部１６０が安定して略棟軒方向にスライドできる範囲において、所定の角度は、角度θに対して異なってもよい。従って、所定の角度が、第一固定金具６０の量産に伴って厳密な２°に対して変動した場合であっても、このときの所定の角度は、角度θと略同じであることは言うまでもない。また、作業者が屋根部材２５を野地板１６に取り付ける場合に、第一屋根材２３、第二屋根材２４、及び棟側屋根材２６の夫々の取付位置が、棟軒方向に所定量（例えば５ｍｍ）ずれた場合、角度θ変化する。この場合における角度θも、所定の角度と略等しい。従って、角度θが例えば１．５°以上５°以下である場合において、所定の角度は２°であってもよい。
【００７８】
端部６７Ｂは、棟方向に向けて湾曲する代わりに、左右方向に沿う平面状であってもよい。この場合、例えば、端部６７Ｃは、軒方向に向けて円弧状に湾曲していてもよいし、第一方向又は第二方向に向けて凸状になっていてもよいし、第一方向又は第二方向に向けて凹状になっていてもよい。
【００７９】
第一延設部６３は、第一載置部６１の軒方向の端部に代えて、第一載置部６１の棟方向の端部から、第一方向側へ延びてもよい。同様に、第二延設部６４は、第二載置部６２の棟方向の端部に代えて、第二載置部６２の軒方向の端部から、第一方向側へ延びてもよい。
【００８０】
＜備考＞
以下、本開示の作用効果を例示する。下記の構成に注記したカッコ書きは、対応する本開示の構成を示す。
【００８１】
従来、建造物の屋根に固定され、且つパネルを支持可能な固定金具ユニットが知られている。例えば、特開２００４−３２４１８１号公報に開示の固定金具ユニットの一例である固定具は、屋根に直付けされて、パネルの一例である太陽電池パネルを支持する。
【００８２】
上記固定具が、屋根の野地板に所定角度傾けて配置された二つの屋根材のそれぞれに、連結して固定される場合がある。二つの屋根材は、屋根の棟軒方向に並ぶ。この場合、太陽光パネルが野地板に対して平行になるためには、固定具の下にスペーサ等を介在させる必要があり、固定具の構造が複雑化する虞があった。
【００８３】
固定金具ユニット６の目的は、簡易な構成で、パネルを野地板に対して平行に支持し易い固定金具ユニットを提供することである。
【００８４】
（１−１．）固定金具ユニット６は、野地板（野地板１６）に対して傾いて配置された第一屋根材（第一屋根材２３）と、前記第一屋根部材に対して前記野地板の棟軒方向の一方側に並んで連結し且つ前記第一屋根材と平行な第二屋根材（第二屋根材２４）とに、固定される第一固定金具（第一固定金具６０）を備えた固定金具ユニット（固定金具ユニット６）であって、前記第一固定金具は、前記第一屋根材に固定される板状体である第一載置部（第一載置部６１）と、前記第一載置部から略垂直に延びる第一延設部（第一延設部６３）と、前記第二屋根材に固定される板状体であって、前記第一延設部が延びる方向において前記第一載置部に対してずれた位置にあり、前記第一載置部に対して平行に延びる第二載置部（第二載置部６２）と、前記第二載置部から略垂直に延びる第二延設部（第二延設部６４）と、前記第一延設部と第二延設部とを架け渡し、前記第一載置部と前記第二載置部とのそれぞれに対して隙間を空けて対向し、パネル（第一パネル１１）を支持可能な板状体であって、ボルト（角根丸ボルト１２０）の軸部（軸部１２１）が挿通可能な前記棟軒方向に延びる長孔（長孔６７Ａ）を形成し、且つ前記ボルトの頭部（１２３）が当接可能な第一開口縁部（第一開口縁部６７）を有する天板部（天板部６５）とを備え、前記天板部と前記第一延設部とがなす二つの角度のうちで小さい方の角度である第一角度（第一角度α）は、９０°よりも所定の角度、大きく、前記天板部と前記第二延設部とがなす二つの角度のうちで小さい方向の角度である第二角度（第二角度β）は、９０°よりも前記所定の角度、小さい。
【００８５】
上記構成によれば、第一角度が９０°よりも所定の角度大きく、第二角度が９０°よりも所定の角度小さいことで、天板部は、野地板に対して平行になり易い。よって、固定金具ユニットは、パネルを野地板に対して平行に支持し易い。また、第一載置部が第一屋根材に固定され、第二載置部が第二屋根材に固定されるので、天板部を野地板に対して平行にするための他の部材（例えばスペーサ）を要さない。よって、固定金具ユニットは構成を簡易化できる。以上より、簡易な構成で、パネルを野地板に対して平行に支持し易い固定金具ユニットが、実現される。
【００８６】
（１−２．）固定金具ユニット６において、前記第一固定金具は、一枚の板状部材から形成されている曲げ加工品であって、前記第一開口縁部の前記長孔は、角根丸頭ボルト（角根丸ボルト１２０）の軸部が挿通可能であって、前記第一開口縁部は、前記角根丸頭ボルトの頭部が当接可能であって、前記第一固定金具の板厚は、前記軸部のうちで前記頭部側の端部である角根部（角根部１２１Ａ）の、軸線長さよりも厚くてもよい。この場合、固定金具ユニットの強度が向上する。よって、固定金具ユニットは、パネルの耐荷重性を向上できる。
【００８７】
（１−３．）前記第一開口縁部は、前記長孔の長手方向において、非対称となってもよい。この場合、作業者による固定金具ユニットの取り付け違いを、固定金具ユニットは抑制できる。
【００８８】
（１−４.）前記所定の角度は、前記第一屋根材と前記野地板とがなす角度のうちで小さい方の角度（角度θ）と、略等しくてもよい。この場合、固定金具ユニットが支持するパネルは、野地板に対して更に平行になり易い。
【００８９】
（１−５.）第二固定金具（第二固定金具９０）を備え、前記第二固定金具は、前記天板部に対して前記第一載置部とは反対側に設けられた板状体であって、前記天板部の厚さ方向に前記長孔と並ぶ孔（孔９３Ａ）を形成する第二開口縁部（第二開口縁部６９）を有し、前記孔に前記ボルトの前記軸部が挿通可能な第一壁部（第一壁部９２）と、前記第一壁部から前記天板部に向かう方向（第二方向）へ、前記長孔の短手方向（左右方向）における前記第一壁部の両端部のそれぞれから延び、前記天板部を間にして対向する一対の対向壁部（一対の対向壁部９４）とを備えてもよい。この場合、作業者がボルトを締結する場合において、第二固定金具が天板部に対して接触する。これにより、作業者は、ボルトを締結し易い。
【符号の説明】
【００９０】
１０      パネル
１１      第一パネル
１２      第二パネル
１３      第三パネル
１４      板部
１５      枠体
１５Ａ    第一縁部
１５Ｂ    第二縁部
２０      載置部材
３０      第一取付具    
３１      第一固定部
３１Ｂ    挿通孔
３１Ｃ    締結部材
３２      第一接触部
３３      第一延設部
３４      第一延出部
３４Ａ    第一孔部
３５      第二延出部
３５Ａ    第二孔部
４０      固定具
４１      延伸部
４１Ａ    貫通孔
４２      対向部
５１      固定部
５２      延設部
９９      ボルト
１００，１０１    足場金具
１０５    アイボルト
【図１】
2017155465.tif 000003
【図２】
2017155465.tif 000004
【図３】
2017155465.tif 000005
【図４】
2017155465.tif 000006
【図５】
2017155465.tif 000007
【図６】
2017155465.tif 000008
【図７】
2017155465.tif 000009
【図８】
2017155465.tif 000010
【図９】
2017155465.tif 000011
【図１０】
2017155465.tif 000012